(57)【要約】【課題】ユーザの操作による様々な状態を、音声により容易且つ確実に把握することのできるテレビジョン受像機を提供する。【解決手段】テレビジョン受像機１００において、音声出力制御手段（例えば、ＣＰＵ９１等）により、操作入力部（キー入力部１１、リモコン２０）の押下操作により制御部９に入力された入力操作信号に基づいて、報知条件を満たす場合に、所定の音声（例えば、映像表示部のオンを報知するオン音声、映像表示部のオフを報知するオフ音声、電源のオンを報知する電源オン音声、電源のオフを報知する電源オフ音声、ミュート状態であることを報知するミュート音声及び外部機器からのデータの入力が無いことを報知する外部入力音声等）を音声出力部８から出力する。【選択図】図２
2007081665.tif 000002
【特許請求の範囲】
【請求項１】
テレビジョン放送信号を受信して、映像を出力する映像表示部を備えるテレビジョン受像機において、
前記映像表示部のオン／オフを切り替える第１のオン／オフキーと、電源のオン／オフを切り替える第２のオン／オフキーと、音量を調節する音量調節キーと、音声を一時的に消音するミュートキーと、外部機器への入力切替を行う入力切替キーと、を備え、ユーザによる入力操作に基づいて入力操作信号を出力する操作入力部と、
音声を出力する音声出力部と、
外部機器に接続可能な接続部と、
前記操作入力部からの入力操作信号に基づいて、予め設定された報知条件を満たす場合に、所定の音声を前記音声出力部から出力させる音声出力制御手段と、
前記音声出力制御手段による制御を行うか否かを、選択して設定可能な音声出力設定手段と、
前記所定の音声を、複数の種類の音声から選択可能な音声選択手段と、
前記入力切替キーにより、前記外部機器への入力切替の入力操作信号が入力された場合に、前記外部機器からのデータの入力が有るか否かを判断する外部入力判断手段と、
を備え、
前記音声出力制御手段は、
前記第１のオン／オフキーから前記映像表示部のオンの入力操作信号が入力された場合に、当該映像表示部のオンを報知するオン音声を前記音声出力部から出力させるとともに、前記第１のオン／オフキーから前記映像表示部のオフの入力操作信号が入力された場合に、前記オン音声と異なり、当該映像表示部のオフを報知するオフ音声を前記音声出力部から出力させ、
前記第２のオン／オフキーから電源のオンの入力操作信号が入力された場合に、当該電源のオンを報知する電源オン音声を前記音声出力部から出力させるとともに、前記第２のオン／オフキーから前記電源のオフの入力操作信号が入力された場合に、前記電源オン音声と異なり、当該電源のオフを報知する電源オフ音声を前記音声出力部から出力させ、
前記ミュートキーにより音声がミュートされた状態で、前記音量調節キーから音量調節の入力操作信号が入力された場合に、ミュート状態であることを報知するミュート音声を前記音声出力部から出力させ、
前記外部入力判断手段による判断結果に基づいて、所定の音声を前記音声出力部から出力させることを特徴とするテレビジョン受像機。
【請求項２】
テレビジョン放送信号を受信して、映像を出力する映像表示部を備えるテレビジョン受像機において、
ユーザによる入力操作に基づいて入力操作信号を出力する操作入力部と、
音声を出力する音声出力部と、
前記操作入力部からの入力操作信号に基づいて、予め設定された報知条件を満たす場合に、所定の音声を前記音声出力部から出力させる音声出力制御手段と、
を備えることを特徴とするテレビジョン受像機。
【請求項３】
前記音声出力制御手段による制御を行うか否かを選択して、設定可能な音声出力設定手段と、
前記所定の音声を、複数の種類の音声から選択可能な音声選択手段と、
を備えることを特徴とする請求項２に記載のテレビジョン受像機。
【請求項４】
前記操作入力部は、前記映像表示部のオン／オフを切り替えるオン／オフキーを備え、
前記音声出力制御手段は、
前記オン／オフキーから前記映像表示部のオンの入力操作信号が入力された場合に、当
該映像表示部のオンを報知するオン音声を前記音声出力部から出力させるとともに、前記オン／オフキーから前記映像表示部のオフの入力操作信号が入力された場合に、前記オン音声と異なり、当該映像表示部のオフを報知するオフ音声を前記音声出力部から出力させることを特徴とする請求項２又は３に記載のテレビジョン受像機。  
【請求項５】
前記操作入力部は、電源のオン／オフを切り替える第２のオン／オフキーを備え、
前記音声出力制御手段は、
前記第２のオン／オフキーから電源のオンの入力操作信号が入力された場合に、当該電源のオンを報知する電源オン音声を前記音声出力部から出力させるとともに、前記第２のオン／オフキーから前記電源のオフの入力操作信号が入力された場合に、前記電源オン音声と異なり、当該電源のオフを報知する電源オフ音声を前記音声出力部から出力させることを特徴とする請求項２〜４の何れか一項に記載のテレビジョン受像機。
【請求項６】
前記操作入力部は、音量を調節する音量調節キーと、
音声を一時的に消音するミュートキーと、を備え、
前記音声出力制御手段は、
前記ミュートキーにより音声がミュートされた状態で、前記音量調節キーから音量調節の入力操作信号が入力された場合に、ミュート状態であることを報知するミュート音声を前記音声出力部から出力させることを特徴とする請求項２〜５の何れか一項に記載のテレビジョン受像機。
【請求項７】
外部機器に接続可能な接続部を備え、
前記操作入力部は、外部機器への入力切替を行う入力切替キーを備え、
前記入力切替キーにより、前記外部機器への入力切替の入力操作信号が入力された場合に、前記外部機器からのデータの入力が有るか否かを判断する外部入力判断手段を備え、
前記音声出力制御手段は、
前記外部入力判断手段による判断結果に基づいて、所定の音声を前記音声出力部から出力させることを特徴とする請求項２〜６の何れか一項に記載のテレビジョン受像機。
【発明の詳細な説明】
【技術分野】
【０００１】
本発明は、テレビジョン受像機に関する。
【背景技術】
【０００２】
従来、テレビジョン受像機は、例えば、電源が入っているか否かの状態をＬＥＤ（Light Emitting Diode）の色により識別可能となっている。しかしながら、例えば、テレビジョン受像機の上部等にオン／オフキーが設けられている場合や、テレビジョン受像機から離れた場所でリモートコントロール装置等により遠隔操作を行う場合等には、ＬＥＤにより電子機器の状態を確認し難いという問題があった。また、デジタルテレビジョン受像機においてはアナログ受像機と比べ、放送信号を受信して映像及び音声を出力するまで時間がかかるという問題があった。そのため、操作を行うユーザが不安に陥ったり、或いは誤った操作を行ってしまい、テレビジョン受像機の操作性が悪くなるという問題があった。
【０００３】
そこで、特許文献１には、液晶テレビジョン装置において、当該装置の電源が投入されると、液晶層の転移駆動中に、転移が進行中であることを告知する音声をスピーカにより出力させ、転移動作中でも装置が起動中であることを認識しうる技術が開示されている。
【特許文献１】特開２００２−００６２８４号公報
【発明の開示】
【発明が解決しようとする課題】
【０００４】
しかしながら、特許文献１に開示された技術では、単に、液晶層が転移中の場合に告知されるに過ぎず、ユーザによる操作状態の把握が十分でないという問題があった。
【０００５】
本発明の課題は、ユーザの操作による様々な状態を、音声により容易且つ確実に把握することのできるテレビジョン受像機を提供することである。
【課題を解決するための手段】
【０００６】
以上の課題を解決するため、請求項１に記載の発明は、テレビジョン放送信号を受信して、映像を出力する映像表示部を備えるテレビジョン受像機において、
前記映像表示部のオン／オフを切り替える第１のオン／オフキーと、電源のオン／オフを切り替える第２のオン／オフキーと、音量を調節する音量調節キーと、音声を一時的に消音するミュートキーと、外部機器への入力切替を行う入力切替キーと、を備え、ユーザによる入力操作に基づいて入力操作信号を出力する操作入力部と、
音声を出力する音声出力部と、
外部機器に接続可能な接続部と、
前記操作入力部からの入力操作信号に基づいて、予め設定された報知条件を満たす場合に、所定の音声を前記音声出力部から出力させる音声出力制御手段と、
前記音声出力制御手段による制御を行うか否かを、選択して設定可能な音声出力設定手段と、
前記所定の音声を、複数の種類の音声から選択可能な音声選択手段と、
前記入力切替キーにより、前記外部機器への入力切替の入力操作信号が入力された場合に、前記外部機器からのデータの入力が有るか否かを判断する外部入力判断手段と、
を備え、
前記音声出力制御手段は、
前記第１のオン／オフキーから前記映像表示部のオンの入力操作信号が入力された場合に、当該映像表示部のオンを報知するオン音声を前記音声出力部から出力させるとともに、前記第１のオン／オフキーから前記映像表示部のオフの入力操作信号が入力された場合
に、前記オン音声と異なり、当該映像表示部のオフを報知するオフ音声を前記音声出力部から出力させ、
前記第２のオン／オフキーから電源のオンの入力操作信号が入力された場合に、当該電源のオンを報知する電源オン音声を前記音声出力部から出力させるとともに、前記第２のオン／オフキーから前記電源のオフの入力操作信号が入力された場合に、前記電源オン音声と異なり、当該電源のオフを報知する電源オフ音声を前記音声出力部から出力させ、
前記ミュートキーにより音声がミュートされた状態で、前記音量調節キーから音量調節の入力操作信号が入力された場合に、ミュート状態であることを報知するミュート音声を前記音声出力部から出力させ、
前記外部入力判断手段による判断結果に基づいて、所定の音声を前記音声出力部から出力させることを特徴とする。
【０００７】
請求項２に記載の発明は、テレビジョン放送信号を受信して、映像を出力する映像表示部を備えるテレビジョン受像機において、
ユーザによる入力操作に基づいて入力操作信号を出力する操作入力部と、
音声を出力する音声出力部と、
前記操作入力部からの入力操作信号に基づいて、予め設定された報知条件を満たす場合に、所定の音声を前記音声出力部から出力させる音声出力制御手段と、
を備えることを特徴とする。
【０００８】
請求項３に記載の発明は、請求項２に記載の発明において、前記音声出力制御手段による制御を行うか否かを選択して、設定可能な音声出力設定手段と、
前記所定の音声を、複数の種類の音声から選択可能な音声選択手段と、
を備えることを特徴とする。
【０００９】
請求項４に記載の発明は、請求項２又は３に記載の発明において、前記操作入力部は、前記映像表示部のオン／オフを切り替えるオン／オフキーを備え、
前記音声出力制御手段は、
前記オン／オフキーから前記映像表示部のオンの入力操作信号が入力された場合に、当該映像表示部のオンを報知するオン音声を前記音声出力部から出力させるとともに、前記オン／オフキーから前記映像表示部のオフの入力操作信号が入力された場合に、前記オン音声と異なり、当該映像表示部のオフを報知するオフ音声を前記音声出力部から出力させることを特徴とする。  
【００１０】
請求項５に記載の発明は、請求項２〜４の何れか一項に記載の発明において、前記操作入力部は、電源のオン／オフを切り替える第２のオン／オフキーを備え、
前記音声出力制御手段は、
前記第２のオン／オフキーから電源のオンの入力操作信号が入力された場合に、当該電源のオンを報知する電源オン音声を前記音声出力部から出力させるとともに、前記第２のオン／オフキーから前記電源のオフの入力操作信号が入力された場合に、前記電源オン音声と異なり、当該電源のオフを報知する電源オフ音声を前記音声出力部から出力させることを特徴とする。
【００１１】
請求項６に記載の発明は、請求項２〜５の何れか一項に記載の発明において、前記操作入力部は、音量を調節する音量調節キーと、
音声を一時的に消音するミュートキーと、を備え、
前記音声出力制御手段は、
前記ミュートキーにより音声がミュートされた状態で、前記音量調節キーから音量調節の入力操作信号が入力された場合に、ミュート状態であることを報知するミュート音声を前記音声出力部から出力させることを特徴とする。
【００１２】
請求項７に記載の発明は、請求項２〜６の何れか一項に記載の発明において、外部機器に接続可能な接続部を備え、
前記操作入力部は、外部機器への入力切替を行う入力切替キーを備え、
前記入力切替キーにより、前記外部機器への入力切替の入力操作信号が入力された場合に、前記外部機器からのデータの入力が有るか否かを判断する外部入力判断手段を備え、
前記音声出力制御手段は、
前記外部入力判断手段による判断結果に基づいて、所定の音声を前記音声出力部から出力させることを特徴とする。
【発明の効果】
【００１３】
請求項１に記載の発明によれば、操作入力部からの入力操作信号に基づいて、報知条件を満たす場合に、音声出力制御手段により所定の音声が出力されるので、ユーザは当該音声により、テレビジョン受像機の状態を容易且つ確実に認識することができる。
【００１４】
また、音声出力設定手段により、音声出力制御手段による制御を行うか否かを選択して設定できる。また、音声選択手段により、所定の音声を複数の音声から選択可能である。従って、ユーザにとって使い勝手の良いテレビジョン受像機を提供することができる。
【００１５】
また、音声出力制御手段により、第１のオン／オフキーから映像表示部のオンの入力操作信号が入力された場合に、映像表示部のオンを報知するオン音声が音声出力部から出力され、また、第１のオン／オフキーから映像表示部のオフの入力操作信号が入力された場合に、映像表示部のオン音声と異なり、映像表示部のオフを報知するオフ音声が音声出力部から出力されるので、ユーザは当該オン音声及びオフ音声により、テレビジョン受像機の映像表示部のオン／オフの状態を容易且つ確実に認識することができる。
【００１６】
また、音声出力制御手段により、第２のオン／オフキーから電源のオンの入力操作信号が入力された場合に、電源のオンを報知する電源オン音声が音声出力部から出力され、また、第２のオン／オフキーから電源のオフの入力操作信号が入力された場合に、電源オン音声とは異なり、電源のオフを報知する電源オフ音声が音声出力部から出力されるので、ユーザは当該電源オン音声及び電源オフ音声により、テレビジョン受像機の電源のオン／オフの状態を容易且つ確実に認識することができる。
【００１７】
また、音声出力制御手段により、音声がミュートされた状態で、音量調節キーから音量調節の入力操作信号が入力された場合に、ミュート状態であることを報知するミュート音声が音声出力部から出力されるので、ユーザは当該ミュート音声により、音声がミュートされた状態であることを容易且つ確実に認識することができる。
【００１８】
さらに、音声出力制御手段により、入力切替キーにより外部機器への入力切替の入力操作信号が入力された場合に、外部機器からのデータの入力が有るか否かが判断され、その判断結果に基づいて所定の音声が音声出力部から出力されるので、ユーザは当該音声により外部機器からのデータの入力が有るか否かを容易且つ確実に認識することができる。
【００１９】
請求項２に記載の発明によれば、操作入力部からの入力操作信号に基づいて、報知条件を満たす場合に、音声出力制御手段により所定の音声が出力されるので、ユーザは当該音声により、テレビジョン受像機の状態を容易且つ確実に認識することができる。
【００２０】
請求項３に記載の発明によれば、請求項２に記載の発明の効果が得られるのは無論のこと、音声出力設定手段により、音声出力制御手段による制御を行うか否かを選択して設定できる。また、音声選択手段により、所定の音声を複数の音声から選択可能である。従って、ユーザにとって使い勝手の良いテレビジョン受像機を提供することができる。
【００２１】
請求項４に記載の発明によれば、請求項２又は３に記載の発明の効果が得られるのは無論のこと、音声出力制御手段により、オン／オフキーから映像表示部のオンの入力操作信号が入力された場合に、映像表示部のオンを報知するオン音声が音声出力部から出力され
、また、オン／オフキーから映像表示部のオフの入力操作信号が入力された場合に、映像表示部のオン音声と異なり、映像表示部のオフを報知するオフ音声が音声出力部から出力されるので、ユーザは当該オン音声及びオフ音声により、テレビジョン受像機の映像表示部のオン／オフの状態を容易且つ確実に認識することができる。
【００２２】
請求項５に記載の発明によれば、請求項２〜４の何れか一項に記載の発明の効果が得られるのは無論のこと、音声出力制御手段により、第２のオン／オフキーから電源のオンの入力操作信号が入力された場合に、電源のオンを報知する電源オン音声が音声出力部から出力され、また、第２のオン／オフキーから電源のオフの入力操作信号が入力された場合に、電源オン音声とは異なり、電源のオフを報知する電源オフ音声が音声出力部から出力されるので、ユーザは当該電源オン音声及び電源オフ音声により、テレビジョン受像機の電源のオン／オフの状態を容易且つ確実に認識することができる。
【００２３】
請求項６に記載の発明によれば、請求項２〜５の何れか一項に記載の発明の効果が得られるのは無論のこと、音声出力制御手段により、音声がミュートされた状態で、音量調節キーから音量調節の入力操作信号が入力された場合に、ミュート状態であることを報知するミュート音声が音声出力部から出力されるので、ユーザは当該ミュート音声により、音声がミュートされた状態であることを容易且つ確実に認識することができる。
【００２４】
請求項７に記載の発明によれば、請求項２〜６の何れか一項に記載の発明の効果が得られるのは無論のこと、音声出力制御手段により、入力切替キーにより外部機器への入力切替の入力操作信号が入力された場合に、外部機器からのデータの入力が有るか否かが判断され、その判断結果に基づいて所定の音声が音声出力部から出力されるので、ユーザは当該音声により外部機器からのデータの入力が有るか否かを容易且つ確実に認識することができる。
【発明を実施するための最良の形態】
【００２５】
以下、本発明の実施の形態を、図面を参照しながら詳細に説明する。
【００２６】
まず、装置全体の構成を、図１を参照しながら説明する。
【００２７】
本実施形態のテレビジョン受像機１００は、例えば、図１に示すように、テレビジョン放送信号（以下、放送信号という。）を受信し、受信された放送信号に基づく映像や音声を出力する受像機本体１と、ユーザが遠隔操作によって各種指示を入力するためのリモートコントロール装置（以下、リモコンという。）２０とを備えている。
【００２８】
受像機本体１の前面パネル１ａにはユーザが各種指示を入力するための各種キーを備えたキー入力部１１が設けられている。また、テレビジョン受像機１００は、例えばＤＶＤ（Digital Versatile Disc）再生装置やＶＣＲ（Video Cassette Recorder）等の、複数
の外部機器２００（図２参照）と接続可能である。
【００２９】
キー入力部１１は、例えば、テレビジョン受像機１００の電源をオン／オフするための第２のオン／オフキーとしてのＰＯＷＥＲキー１１ａと、音量を調節するための音量調節キーとしてのボリュームアップ／ダウンキー１１ｂと、チャンネルを変更するためのチャンネルアップ／ダウンキー１１ｃと、音声をミュートするためのミュートキー１１ｄと、外部機器２００への入力に切り替えるための入力切替キー１１ｅと、音声報知モードを設定又は解除するメニュー画面及び音声報知モードにおける所望の音声を選択するメニュー画面における各種操作を行うためのメニューキー１１ｆと、等を備え、操作入力部として機能する。
【００３０】
リモコン２０は、例えば、テレビジョン受像機１００の映像表示部７をオン／オフするためのオン／オフキー及び第１のオン／オフキーとしてのＰＯＷＥＲキー２０ａと、音量
を調節するための音量調節キーとしてのボリュームアップ／ダウンキー２０ｂと、チャンネルを変更するためのチャンネルアップ／ダウンキー２０ｃと、音声をミュートするためのミュートキー２０ｄと、外部機器２００への入力に切り替えるための入力切替キー２０ｅと、音声報知モードを設定又は解除するメニュー画面及び音声報知モードにおける所望の音声を選択するメニュー画面における各種操作を行うためのメニューキー２０ｆと、等を備え、キー入力部１１とともに操作入力部として機能する。
【００３１】
受像機本体１は、例えば、図２に示すように、放送信号を受信するアンテナ２と、アンテナ２と接続され、アンテナ２により受信された放送信号から選局を行うチューナ３と、チューナ３により選局された放送信号を復調する復調器４と、復調器４により復調された放送信号を、音声・映像ごとに復号するデコーダ５と、デコーダ５により復号された音声データにＯＳＤ（On Screen Display）データを付加するＯＳＤ付加回路６と、デコーダ
５によって復号された放送信号に基づく映像データに応じて映像を出力する映像表示部７と、デコーダ５によって復号された放送信号に基づく音声データに応じて音声を出力する音声出力部８と、テレビジョン受像機１００全体を統括制御する制御部９と、リモコン２０からの入力操作信号を受信し、制御部９に入力するリモコン信号受光部１０と、等から構成される。
【００３２】
アンテナ２は、屋外に配置され、テレビジョン放送局から発信される高周波（ＲＦ）の放送信号を受信する。
【００３３】
チューナ３は、アンテナ２によって受信された放送信号の供給を受けると共に、制御部１０からの放送チャンネルの選局に関する指示入力に応じて選局処理を行い、選局された放送チャンネルに対応する特定周波数帯域に存在する放送信号を受信し、当該受信した放送信号を中間周波信号（ＩＦ信号）に変換して復調器４に出力する。
【００３４】
復調器４は、例えば、制御部１０からの指示に従って、チューナ３から出力されたＩＦ信号に対してデジタル復調や誤り訂正などの処理を実行し、ストリーム（例えば、トランスポートストリーム：ＴＳ）を出力する。
【００３５】
デコーダ５は、例えば、図示は省略するが、ＴＳデコーダ、音声デコーダ、映像デコーダ等を備え、ＴＳデコーダは、復調器４から入力されたＴＳから、音声信号、映像信号等を分離し、分離した音声データを音声デコーダに、映像信号を映像デコーダにそれぞれ出力する。音声デコーダは、ＴＳデコーダから入力された音声信号を復号して、復号化された音声データを音声出力部８に出力する。映像デコーダは、ＴＳデコーダから入力された映像信号を復号して、復号化された映像データを映像表示部７にＯＳＤ付加回路６を介して出力する。
【００３６】
ＯＳＤ付加回路６は、制御部９からの指示出力に応じてＯＳＤデータを、デコーダ５から出力された映像データに合成して、映像表示部７に出力する。
【００３７】
映像表示部７は、例えば、ＬＣＤ（Liquid Crystal Display）、ＰＤＰ（Plasma Display Panel）等の表示画面７ａ等を備え、デコーダ５から入力された映像データに基づく映像を表示する。
【００３８】
音声出力部８は、例えば、スピーカ８ａ等を備え、デコーダ５から入力された音声データに基づく音声を出力する。
【００３９】
制御部９は、ＣＰＵ（Central Processing Unit）９１と、ＲＯＭ（Read Only Memory
）９２と、メモリ部９３と、外部機器２００と接続可能な接続部としての入力ポート９４と、出力ポート９５と、等を備えている。
【００４０】
ＣＰＵ９１は、ユーザによるキー入力部１１の各種キー又はリモコン２０の各種キーの
押下操作によって、入力ポート９４から入力された入力操作信号に応じて、ＲＯＭ９２に格納された各種プログラムを実行し、出力ポート９５を介して各部に出力信号を出力することによって、テレビジョン受像機１００の動作全般を統括制御する。
【００４１】
ＲＯＭ９２は、図３に示すように、音声データや各種データ処理プログラムに係る各種初期設定値データ等を格納するデータ領域９２１と、音声報知モード制御プログラム９２２ｃ等の各種データ処理プログラム等を格納するプログラム領域９２２と、を備えている。
【００４２】
ここで、音声報知モードとは、キー入力部１１の所定のキー及びリモコン２０の所定のキーが押下操作され、当該入力操作信号が制御部９に入力され、入力された入力操作信号により予め設定された報知条件が満たされたときに、音声出力部８から所定の音声が出力されるモードのことである。
【００４３】
具体的には、音声報知モードにおいて、例えば、表示画面７ａに映像が表示されていない映像表示部７のオフの状態（リモコン２０からの入力操作信号の待ち受け状態）で、リモコン２０のＰＯＷＥＲキー２０ａが押下操作されて映像表示部７のオンの入力操作信号が制御部９に入力された場合に、映像表示部７のオンを報知するオン音声が音声出力部８から出力される。さらに、表示画面７ａに映像が表示されている映像表示部７のオンの状態で、リモコン２０のＰＯＷＥＲキー２０ａが押下操作されて映像表示部７のオフの入力操作信号が制御部９に入力された場合に、映像表示部７のオフを報知するオフ音声が音声出力部８から出力される。
【００４４】
また、例えば、テレビジョン受像機１００の電源がオフの状態で、キー入力部１１のＰＯＷＥＲキー１１ａが押下操作されて電源のオンの入力操作信号が制御部９に入力された場合に、電源のオンを報知する電源オン音声が音声出力部８から出力される。さらに、テレビジョン受像機１００の電源がオンの状態で、キー入力部１１のＰＯＷＥＲキー１１ａが押下操作されて電源のオフの入力操作信号が制御部９に入力された場合に、電源のオフを報知する電源オフ音声が音声出力部８から出力される。
【００４５】
また、例えば、音声がミュートされた状態で、キー入力部１１のボリュームアップ／ダウンキー１１ｂ又はリモコン２０のボリュームアップ／ダウンキー２０ｂが押下操作されて音量調節を行うための入力操作信号が制御部９に入力された場合に、ミュート状態であることを報知するミュート音声が音声出力部８から出力される。
【００４６】
また、例えば、キー入力部１１の入力切替キー１１ｅ又はリモコン２０の入力切替キー２０ｅが押下操作されて外部機器２００への入力切替を行うための入力操作信号が入力された場合に、後述する外部入力判断プログラム９２２ｄの実行により、テレビジョン受像機１００が外部機器２００と入力ポート９４を介して接続されて外部機器２００からのデータの入力が有るか否かが判断され、データの入力が無いと判断されたときに、外部機器２００からのデータの入力が無いことを報知する外部入力音声が音声出力部８から出力される。
【００４７】
データ領域９２１は、複数の音声データを格納する音声データ領域９２１ａを備え、例えば、パターン１〜パターン６の６種類の音声データを格納する。該音声データは、キー入力部１１或いはリモコン２０のキーが押下操作されることにより、制御部９に入力された入力操作信号に基づいて音声出力部８から出力される音声の音声データとして用いられる。
【００４８】
プログラム領域９２２には、音声報知モード設定制御プログラム９２２ａと、音声選択制御プログラム９２２ｂと、音声報知モード制御プログラム９２２ｃと、外部入力判断プログラム９２２ｄと等が格納されている。
【００４９】
音声報知モード設定制御プログラム９２２ａは、例えば、ＣＰＵ９１に、キー入力部１
１のメニューキー１１ｆ及びリモコン２０のメニューキー２０ｆの押下操作によって制御部９に入力された入力操作信号に基づいて、映像表示部７の表示画面７ａに音声報知モードの設定又は解除のためのメニュー画面を表示させ、該メニュー画面を参照して行われたキー入力部１１及びリモコン２０の操作によって、制御部９に入力された入力操作信号に基づいて、音声報知モードを設定又は解除する機能を実現させるプログラムである。
【００５０】
具体的には、ユーザによりキー入力部１１のメニューキー１１ｆ又はリモコン２０のメニューキー２０ｆが押下操作されると、ＣＰＵ９１は、例えば、図４（ａ）に示すように、表示画面７ａに音声報知モードの設定又は解除のためのメニュー画面をＯＳＤ付加回路６により付加させて表示させ、ユーザによるキー入力部１１又はリモコン２０の操作による操作入力信号の入力により、音声報知モードの設定又は解除が行われる。
【００５１】
ＣＰＵ９１は、かかる音声報知モード設定制御プログラム９２２ａを実行することにより、音声出力設定手段として機能する。
【００５２】
音声選択制御プログラム９２２ｂは、例えば、音声報知モード設定制御プログラム９２２ａの実行によって音声報知モードが設定された場合に、ＣＰＵ９１に、キー入力部１１のメニューキー１１ｆ及びリモコン２０のメニューキー２０ｆの押下操作によって制御部９に入力された入力操作信号に基づいて、映像表示部７の表示画面７ａに音声報知モードにおける音声を選択するためのメニュー画面を表示させ、該メニュー画面を参照して行われたキー入力部１１の各種キー及びリモコン２０の各種キーの押下操作によって制御部９に入力された入力操作信号に基づいて、音声報知モードにおける音声として、音声データ領域９２１ａに格納された複数の音声データから、所望の音声データをユーザに選択させ、選択された音声データを音声報知モードにおいて音声出力部８から出力される音声として設定する機能を実現させるプログラムである。
【００５３】
具体的には、ユーザにより、音声報知モードが設定された場合、例えば、キー入力部１１のメニューキー１１ｆ又はリモコン２０のメニューキー２０ｆが押下操作されると、ＣＰＵ９１は、例えば、図４（ｂ）に示すように、音声報知モードにおける音声を選択するためのメニュー画面をＯＳＤ付加回路６により付加させて表示画面７ａに表示させ、ユーザによるキー入力部１１又はリモコン２０の押下操作により、音声データ領域９２１ａに格納された音声データのパターン１〜パターン６のうちから、オン音声、オフ音声、電源オン音声、電源オフ音声、ミュート音声及び外部入力音声として、それぞれ一つの音声データが選択されると、当該選択された音声パターンを設定する。
【００５４】
ＣＰＵ９１は、かかる音声選択制御プログラム９２２ｂを実行することにより、音声選択手段として機能する。
【００５５】
音声報知モード制御プログラム９２２ｃは、音声報知モード設定制御プログラム９２２ａの実行によって音声報知モードが設定された場合に、ＣＰＵ９１に、キー入力部１１に備わる所定のキー及びリモコン２０に備わる所定のキーの押下操作に応じて制御部９に入力される入力操作信号に基づいて、予め設定された報知条件を満たす場合に、音声選択制御プログラム９２２ｂの実行によって登録された各音声データに基づく音声を音声出力部８から出力させる機能を実現させるプログラムである。
【００５６】
ＣＰＵ９１は、かかる音声報知モード制御プログラム９２２ｃを実行することにより、音声出力制御手段として機能する。
【００５７】
外部入力判断プログラム９２２ｄは、音声報知モード設定制御プログラム９２２ａの実行によって音声報知モードが設定された場合に、ＣＰＵ９１に、キー入力部１１の入力切替キー１１ｅ及びリモコン２０の入力切替キー２０ｅの押下操作に応じて制御部９に入力される入力操作信号に基づいて、テレビジョン受像機１００が外部機器２００と入力ポート９４を介して接続されて、外部機器２００からのデータの入力が有るか否かを判断させる機能を実現させるプログラムである。
【００５８】
ＣＰＵ９１は、かかる外部入力判断プログラム９２２ｄを実行することにより、外部入
力判断手段として機能する。
【００５９】
メモリ部９３は、ＲＡＭ（Random Access Memory）やＥＰＲＯＭ（Erasable Programmable ROM）、フラッシュメモリ等の不揮発性メモリを備え、ＣＰＵ９１によって各種プロ
グラムが実行される際に生じる処理結果や、入力されたデータ等を記憶する。
【００６０】
また、メモリ部９３は、音声報知モード設定制御プログラム９２２ａの実行により音声報知モードが設定されたことを記憶し、ＣＰＵ９１は、かかるメモリ部９３に記憶された音声報知モードの設定の有無を適宜読み出し、音声報知モードが設定されている場合にはＲＯＭ９２に格納された音声報知モード制御プログラム９２２ｃ、外部入力判断プログラム９２２ｄ等を実行する。
【００６１】
さらに、メモリ部９３は、音声選択制御プログラム９２２ｂの実行によりオン音声、オフ音声、電源オン音声、電源オフ音声、ミュート音声及び外部入力音声として、例えばパターン１〜パターン６の音声データの中から選択されて設定された音声データを、それぞれ記憶する。ＣＰＵ９１は、音声報知モード制御プログラム９２２ｃの実行において、かかるメモリ部９３に記憶された音声データを適宜読み出して、音声出力部から出力させる。
【００６２】
入力ポート９４及び出力ポート９５は、ＣＰＵ９１が、受像機本体１の各部及び外部機器２００とデータのやり取り等を行うための役割を果たす。例えば、入力ポート９４は、ＤＶＤ再生装置やＶＣＲ等の外部機器２００を受像機本体１に接続し、受像機本体１に接続された外部機器２００によって再生された映像・音声等のデータ等は、入力ポート９４を介して受像機本体１に入力される。
【００６３】
リモコン信号受光部１０は、リモコン２０に備わる各種キーの押下操作により送信された入力操作信号としての信号光を受信し、これを電気信号に変換して制御部９に入力する。
【００６４】
次に、音声報知モード設定制御プログラム９２２ａの実行により設定された音声報知モードにおいて、ＣＰＵ９１によって行われる音声報知モード動作処理について図５〜図８を参照しながら、説明する。
【００６５】
なお、音声報知モード動作処理は、ＣＰＵ９１が、音声報知モード制御プログラム９２２ｃ及び外部入力判断プログラム９２２ｄを実行することにより行われる。
【００６６】
図５は、ユーザによりリモコン２０のＰＯＷＥＲキー２０ａが押下操作される場合に行われる音声報知モード動作処理を示す。
【００６７】
図５に示すように、ＣＰＵ９１は、ユーザによりリモコン２０のＰＯＷＥＲキー２０ａが押下されたことを検出すると（ステップＳ１）、映像表示部７がオフの状態か否かを判断する（ステップＳ２）。ＣＰＵ９１は、ステップＳ２において、映像表示部７がオフの状態であると判断すると（ステップＳ２；ＹＥＳ）、オン音声（例えば、パターン１の音声データに基づく音声）を音声出力部８から出力する（ステップＳ３）とともに、図示しない所定のオン処理に移行して、本処理を終了する。一方、ステップＳ２において、ＣＰＵ９１は、映像表示部７がオフの状態でないと判断すると（ステップＳ２；ＮＯ）、オフ音声（例えば、パターン２の音声データに基づく音声）を音声出力部８から出力する（ステップＳ４）とともに、図示しない所定のオフ処理に移行して、本処理を終了する。
【００６８】
図６は、ユーザによりキー入力部１１のＰＯＷＥＲキー１１ａが押下操作される場合に行われる音声報知モード動作処理を示す。
【００６９】
図６に示すように、ＣＰＵ９１は、ユーザによりキー入力部１１のＰＯＷＥＲキー１１ａが押下されたことを検出すると（ステップＳ１１）、電源がオフの状態か否かを判断する（ステップＳ１２）。ＣＰＵ９１は、ステップＳ１２において、電源がオフの状態であ
ると判断すると（ステップＳ１２；ＹＥＳ）、電源オン音声（例えば、パターン１の音声データに基づく音声）を音声出力部８から出力する（ステップＳ１３）とともに、図示しない所定の電源オン処理に移行して、本処理を終了する。一方、ステップＳ１２において、ＣＰＵ９１は、電源のオフの状態でないと判断すると（ステップＳ１２；ＮＯ）、電源オフ音声（例えば、パターン２の音声データに基づく音声）を音声出力部８から出力する（ステップＳ１４）とともに、図示しない所定の電源オフ処理に移行して、本処理を終了する。
【００７０】
図７は、ユーザによりキー入力部１１のボリュームアップ／ダウンキー１１ｂ又はリモコン２０のボリュームアップ／ダウンキー２０ｂが押下操作された場合に行われる音声報知モード動作処理を示す。
【００７１】
図７に示すように、ＣＰＵ９１は、ユーザによりキー入力部１１のボリュームアップ／ダウンキー１１ｂ又はリモコン２０のボリュームアップ／ダウンキー２０ｂが押下されたことを検出すると（ステップＳ２１）、ミュート状態であるか否かを判断する（ステップＳ２２）。ＣＰＵ９１は、ステップＳ２２において、ミュート状態であると判断すると（ステップＳ２２；ＹＥＳ）、ミュート音声（例えば、パターン３の音声データに基づく音声）を音声出力部８から出力し（ステップＳ２３）、本処理を終了する。一方、ステップＳ２２において、ＣＰＵ９１は、ミュート状態でないと判断すると（ステップＳ２２；ＮＯ）、図示しない所定のミュート処理に移行して、本処理を終了する。
【００７２】
図８は、ユーザによりキー入力部１１の入力切替キー１１ｅ又はリモコン２０の入力切替キー２０ｅが押下操作された場合に行われる音声報知モード動作処理を示す。
【００７３】
図８に示すように、ＣＰＵ９１は、ユーザによりキー入力部１１の入力切替キー１１ｅ又はリモコン２０の入力切替キー２０ｅが押下されたことを検出すると（ステップＳ３１）、外部機器２００からのデータの入力が有るか否かを判断する（ステップＳ３２）。ＣＰＵ９１は、ステップＳ３２において外部機器２００からのデータの入力が無いと判断すると（ステップＳ３２；ＮＯ）、外部入力音声（例えば、パターン４の音声データに基づく音声）を音声出力部８から出力して（ステップＳ３３）、本処理を終了する。一方、ステップＳ３２において、ＣＰＵ９１は、外部機器２００からのデータの入力が有ると判断すると（ステップＳ３２；ＹＥＳ）、そのまま本処理を終了する。
【００７４】
以上説明した本発明に係るテレビジョン受像機１００によれば、ＣＰＵ９１による音声報知モード設定制御プログラム９２２ａの実行により設定された音声報知モードにおいて映像表示部７がオフの状態で、リモコン２０のＰＯＷＥＲキー２０ａが押下されて映像表示部７のオンの入力操作信号が制御部９に入力されると、ＣＰＵ９１による音声報知モード制御プログラム９２２ｃの実行により、映像表示部７のオンを報知するオン音声が音声出力部８から出力される。
【００７５】
また、音声報知モードにおいて映像表示部７がオンの状態で、リモコン２０のＰＯＷＥＲキー２０ａが押下されて映像表示部７のオフの入力操作信号が制御部９に入力されると、ＣＰＵ９１による音声報知モード制御プログラム９２２ｃの実行により、映像表示部７のオフを報知するオフ音声が音声出力部８から出力される。
【００７６】
従って、ユーザは、当該オン音声及びオフ音声により、テレビジョン受像機１００の映像表示部７のオン／オフの状態を容易且つ確実に認識することができる。
【００７７】
また、音声報知モードにおいて電源がオフの状態で、キー入力部１１のＰＯＷＥＲキー１１ａが押下されて電源のオンの入力操作信号が制御部９に入力されると、ＣＰＵ９１による音声報知モード制御プログラム９２２ｃの実行により、電源のオンを報知する電源オン音声が音声出力部８から出力される。
【００７８】
また、音声報知モードにおいて電源がオンの状態で、キー入力部１１のＰＯＷＥＲキー１１ａが押下されて電源のオフの入力操作信号が制御部９に入力されると、ＣＰＵ９１に
よる音声報知モード制御プログラム９２２ｃの実行により、電源のオフを報知する電源オフ音声が音声出力部８から出力される。
【００７９】
従って、ユーザは、当該電源オン音声及び電源オフ音声により、テレビジョン受像機１００の電源のオン／オフの状態を容易且つ確実に認識することができる。
【００８０】
また、音声報知モードにおいて音声がミュートされた状態で、キー入力部１１のボリュームアップ／ダウンキー１１ｂ又はリモコン２０のボリュームアップ／ダウンキー２０ｂが押下されて音量調節を行うための入力操作信号が制御部９に入力されると、ＣＰＵ９１による音声報知モード制御プログラム９２２ｃの実行により、ミュート状態であることを報知するミュート音声が音声出力部８から出力される。
【００８１】
従って、ユーザは、当該ミュート音声により、音声がミュートされた状態であることを容易且つ確実に認識することができる。  
【００８２】
また、音声報知モードにおいて、キー入力部１１の入力切替キー１１ｅ又はリモコン２０の入力切替キー２０ｅが押下されて外部機器２００への入力切替を行うための入力操作信号が制御部９に入力されると、ＣＰＵ９１による外部入力判断プログラム９２２ｄの実行により、外部機器２００からのデータの入力が有るか否かが判断され、外部機器２００からのデータの入力が無いと判断されたときに、ＣＰＵ９１による音声報知モード制御プログラム９２２ｃの実行により、外部機器２００からのデータの入力が無いことを報知する外部入力音声が音声出力部８から出力される。
【００８３】
従って、ユーザは、当該外部入力音声により、外部機器２００からのデータの入力が無い状態であることを容易且つ確実に認識することができる。
【００８４】
また、ＣＰＵ９１による音声報知モード設定制御プログラム９２２ａの実行により、音声報知モードを設定するか否かを選択して設定できる。また、ＣＰＵ９１による音声選択制御プログラム９２２ｂの実行により、オン音声、オフ音声、電源オン音声、電源オフ音声、ミュート音声及び外部入力音声を、複数の音声データから選択することができる。
【００８５】
従って、ユーザにとって、使い勝手の良いテレビジョン受像機１００を提供することができる。
【００８６】
なお、本発明は、上記実施の形態に限定されることなく、本発明の趣旨を逸脱しない範囲において、種々の改良並びに設計の変更を行っても良い。
【００８７】
例えば、本発明は、音声報知モードにおいて音声によって報知される報知条件を、自由に定めることができる。例えば、チャンネルを切り替えるための入力操作を行ったときに、字幕の有無や、多重音声の有無を判断して、当該判断結果を音声によりアナウンスしても良い。また、例えば、ユーザがメニュー画面で報知条件を自由に選択し得る設計であっても良い。
【００８８】
また、本発明は、電源のオンを報知する電源オン音声及び映像表示部７のオンを報知するオン音声として、同一の音声データを選択する例を用いたが、それぞれ異なる音声データを選択する設計であっても良い。また、電源のオフを報知する電源オフ音声及び映像表示部７のオフを報知するオフ音声として、同一の音声データを選択する例を用いたが、それぞれ異なる音声データを選択する設計であっても良い。
【００８９】
また、本発明では、電源がオンの状態であり、且つ、映像がオフの状態において、電源のオフの入力操作信号が入力された場合であっても、電源オフ音声が出力される設計としたが、かかる状態においては、電源オフ音声が出力されない設計であっても良い。
【図面の簡単な説明】
【００９０】
【図１】本発明に係るテレビジョン受像機の構成を示す図である。
【図２】本発明に係るテレビジョン受像機の主要な内部構成を示すブロック図である。
【図３】本発明に係るテレビジョン受像機に備わるＲＯＭの構成を示す図である。
【図４】映像表示部の表示画面に表示されたメニュー画面を例示した図である。
【図５】リモコンのＰＯＷＥＲキーが押下操作される場合に行われる音声報知モード動作処理を示すフローチャートである。
【図６】キー入力部のＰＯＷＥＲキーが押下操作される場合に行われる音声報知モード動作処理を示すフローチャートである。
【図７】キー入力部のボリュームアップ／ダウンキー又はリモコンのボリュームアップ／ダウンキーが押下操作される場合に行われる音声報知モード動作処理を示すフローチャートである。
【図８】キー入力部の入力切替キー又はリモコンの入力切替キーが押下操作される場合に行われる音声報知モード動作処理を示すフローチャートである。
【符号の説明】
【００９１】
１００          テレビジョン受像機
７              映像表示部
８              音声出力部
１１            キー入力部（操作入力部）
１１ａ          ＰＯＷＥＲキー（第２のオン／オフキー）
２０            リモートコントロール装置（操作入力部）
２０ａ          ＰＯＷＥＲキー（オン／オフキー、第１のオン／オフキー）
１１ｂ，２０ｂ  音量調節キー
１１ｄ，２０ｄ  ミュートキー
１１ｅ，２０ｅ  入力切替キー
９１            ＣＰＵ（音声出力設定手段、音声選択手段、音声出力制御手段、外部入力判断手段）
９４            入力ポート（接続部）
９２２ａ        音声報知モード設定制御プログラム（音声出力設定手段）
９２２ｂ        音声選択制御プログラム（音声選択手段）
９２２ｃ        音声報知モード制御プログラム（音声出力制御手段）
９２２ｄ        外部入力判断プログラム（外部入力判断手段）
【図１】
2007081665.tif 000003
【図２】
2007081665.tif 000004
【図３】
2007081665.tif 000005
【図４】
2007081665.tif 000006
【図５】
2007081665.tif 000007
【図６】
2007081665.tif 000008
【図７】
2007081665.tif 000009
【図８】
2007081665.tif 000010